(57)【要約】【課題】通気性および排水性の向上を図れる瓦屋根の通気構造を提供する。【解決手段】多数枚の屋根瓦１６と、屋根の傾斜方向と交差するとともに、屋根瓦１６が取り付けられる複数本の瓦桟木１３と、これらの瓦桟木１３が取り付けられる野地板１２とを備えて瓦屋根１０を構成する。そして、各瓦桟木１３と野地板１２との間には、各瓦桟木１３の幅を越えて屋根の傾斜方向に沿った空間部を設ける。そのため、空間部内を空気が流通するので、通気性が向上する。また、万一、屋根の内部に雨水や湿気等が浸入したときでも、空間部から排水できるので排水性が向上する。【選択図】  図１
2004190216.tif 000002
【特許請求の範囲】
【請求項１】
多数枚の屋根瓦と、屋根の傾斜方向と交差するとともに傾斜方向に所定間隔で設けられ前記屋根瓦が取り付けられる複数本の瓦桟木と、これらの瓦桟木が取り付けられる野地板とを備えた瓦屋根の通気構造であって、
前記各瓦桟木と野地板との間には、少なくとも前記各瓦桟木の幅を越えて屋根の傾斜方向に沿った空間部が設けられていることを特徴とする瓦屋根の通気構造。
【請求項２】
請求項１に記載の瓦屋根の通気構造において、前記瓦桟木は木材で形成され、前記空間部は、前記瓦桟木の下部に形成された複数の貫通穴で構成されていることを特徴とする瓦屋根の通気構造。
【請求項３】
請求項１に記載の瓦屋根の通気構造において、前記瓦桟木と野地板との間には、屋根の傾斜方向に沿いかつ交互に向きを変えた複数条の角縦溝を有する通気部材が設けられ、前記空間部は、前記複数条の角縦溝で構成されていることを特徴とする瓦屋根の通気構造。
【請求項４】
請求項３に記載の瓦屋根の通気構造において、前記通気部材は前記瓦桟木の長手方向に沿って所定幅に形成され、それぞれの通気部材の接続は隣り合う通気部材の少なくとも１条の前記角縦溝同士を重ね合わせて行われることを特徴とする瓦屋根の通気構造。
【請求項５】
請求項１に記載の瓦屋根の通気構造において、前記瓦桟木と野地板との間には、屋根の傾斜方向に沿った複数の波形状部を有する通気部材が設けられ、前記空間部は、前記複数の波形状部で構成されていることを特徴とする瓦屋根の通気構造。
【請求項６】
請求項１に記載の瓦屋根の通気構造において、前記瓦桟木と野地板との間には、所定厚さの複数個のスペーサ部材で構成された通気部材が設けられ、前記空間部は、前記複数個のスペーサ部材間の隙間で構成されていることを特徴とする瓦屋根の通気構造。
【発明の詳細な説明】
【０００１】
【発明の属する技術分野】
本発明は、瓦屋根の通気構造に関する。
【０００２】
【背景技術】
住宅等の建物の瓦屋根としては、瓦が野地板に複数本の瓦桟木を介して取り付けられて構成されている（例えば、特許文献１参照）。
そして、このような瓦桟木は木製の角材で形成されることが多い。
【０００３】
【特許文献１】
特開平１１−２１０１０２号広報
【０００４】
【発明が解決しようとする課題】
しかし、前記従来の棟の換気構造では、桟木と野地板との隙間がないので、通気性が悪いという問題があり、また、雨水等が浸入したとき、排水性が悪いという問題もある。
【０００５】
本発明の目的は、通気性および排水性の向上を図れる瓦屋根の通気構造を提供することにある。
【０００６】
【課題を解決するための手段】
請求項１に記載の発明は、図面を参照して説明すると、図１に示すように、多数枚の屋根瓦１６と、屋根の傾斜方向と交差するとともに傾斜方向に所定間隔で設けられ前記屋根瓦１６が取り付けられる複数本の瓦桟木１３と、これらの瓦桟木１３が取り付けられる野地板１２とを備えた瓦屋根の通気構造であって、前記各瓦桟木１３と野地板１２との間には、少なくとも前記各瓦桟木１３の幅を越えて屋根の傾斜方向に沿った空間部が設けられていることを特徴とする瓦屋根の通気構造である。
【０００７】
このような本発明によれば、瓦桟木と野地板との間に空間部が設けられており、空間部内を空気が流通するので、通気性が向上し、また、雨水や湿気等が浸入したときでも空間部から排水できて排水性が向上する。
この発明において、瓦桟木は木製の角材やプラスチック等の合成樹脂製で形成することができる。
【０００８】
請求項２に記載の発明は、図２に示すように、請求項１に記載の瓦屋根の通気構造において、前記瓦桟木１３は木材で形成され、前記空間部は、前記瓦桟木１３の下部に形成された複数の貫通穴１３Ａで構成されていることを特徴とするものである。
このような本発明によれば、瓦桟木に貫通穴をあけるだけで空間部を構成できるとともに、瓦桟木は木材で形成されているので、穴加工が容易であり、また、貫通穴は複数あるので、通気性および排水性を向上させることができる。
【０００９】
請求項３に記載の発明は、図面を参照して説明すると、図３に示すように、前記瓦桟木１３と野地板１２との間には、屋根の傾斜方向に沿いかつ交互に向きを変えた複数条の角縦溝２１Ａ，２１Ｂを有する通気部材２１が設けられ、前記空間部は、前記複数条の角縦溝２１Ａ，２１Ｂで構成されていることを特徴とするものである。
このような本発明によれば、通気部材に複数条の角縦溝が交互に向きを変えて形成されているので、通気と排水とが別の溝で行われるようになり、通気性および排水性のより一層の向上を図れる。
【００１０】
請求項４に記載の発明は、図３に示すように、請求項３に記載の瓦屋根の通気構造において、前記通気部材２１は前記瓦桟木１３の長手方向に沿って所定幅に形成され、それぞれの通気部材２１の接続は隣り合う通気部材２１の少なくとも１条の前記角縦溝２１Ａ，２１Ｂ同士を重ね合わせて行われることを特徴とするものである。
このような本発明によれば、通気部材を幅方向に接続する際、隣り合う通気部材の少なくとも１条の角縦溝同士を重ね合わせて行うので、角縦溝と角縦溝との隙間に雨水等が浸入することはなく、雨水等の横走りを防止できる。
【００１１】
請求項５に記載の発明は、図４に示すように、請求項１に記載の瓦屋根の通気構造において、前記瓦桟木１３と野地板１２との間には、屋根の傾斜方向に沿った複数の波形状部３１Ａ，３１Ｂを有する通気部材３１が設けられ、前記空間部は、前記複数の波形状部３１Ａ，３１Ｂで構成されていることを特徴とするものである。
【００１２】
このような本発明によれば、通気部材が複数の波形状部を有しており、波形状部は高い部位と低い部位とが交互に形成されているので、通気と排水とが別の波形状部で行われることになり、これにより、通気性および排水性のより一層の向上を図れる。また、通気部材として市販の波板を使用できるので、容易に入手できるとともに、野地板の上に取り付けて、その上に瓦桟木を取り付ければよいので、施工も容易にできる。
【００１３】
請求項６に記載の発明は、図５に示すように、請求項１に記載の瓦屋根の通気構造において、前記瓦桟木１３と野地板１２との間には、所定厚さの複数個のスペーサ部材４１Ａで構成された通気部材４１が設けられ、前記空間部は、前記複数個のスペーサ部材４１Ａ間の隙間４１Ｂで構成されていることを特徴とするものである。
このような本発明によれば、瓦桟木と野地板との間にスペーサ部材を配置すれば、それらの隙間で空間部を形成できるので、空間部の形成が簡単な構成ででき、また、通気性および排水性の向上を図れる。
【００１４】
【発明の実施の形態】
以下に、本発明に係る瓦屋根の通気構造の実施形態を、図面に基づいて説明する。
図１には、第１実施形態の瓦屋根１０が示されている。この瓦屋根１０は、登梁１１に設けられた野地板１２を備え、この野地板１２は、合板１２Ａと、この合板１２Ａ上に敷設された屋根耐水シート１２Ｂおよび屋根面材１２Ｃとを含み構成されている。
野地板１２の上面には、復数本の瓦桟木１３が屋根の傾斜方向に直行して所定間隔で設けられており、瓦屋根１０の軒端には鼻桟木１４が設けられている。瓦桟木１３は、例えば木製の角材で形成されており、また、鼻桟木１４の近傍には、軒樋１５が設けられている。
【００１５】
この鼻桟木１４には軒側先端の瓦１６の先端部（軒先側）が載せられ、瓦１６の後端部は、屋根の軒端に近い位置の瓦桟木１３に釘１７によって固定されている。この瓦１６の後端部（棟側）には、屋根の傾斜方向すぐ上の瓦１６が、その先端を後端部に重ねるとともに、後端部を傾斜方向一つ上の瓦桟木１３に釘１７によって固定されている。
【００１６】
図２に示すように、各瓦桟木１３の下部には、瓦屋根１０の傾斜方向に沿いかつ瓦桟木１３の幅方向を貫通する空間部である半円状の貫通穴１３Ａが複数あけられている。従って、万一、屋根内に雨水等が浸入しても、これらの貫通穴１３Ａから排水される。また、これらの貫通穴１３Ａを空気が流通するので、通気性がよくなり、湿気等による影響を少なくできる。
なお、貫通穴１３Ａの加工は、瓦桟木１３を２枚、厚さ方向同士を対向させて重ねておいて、合わせ面にドリルを当てて加工すれば、２つの瓦桟木１３に同時に半円状の貫通穴１３Ａを形成でき、加工効率がよい。
【００１７】
このような第１実施形態によれば、次のような効果がある。
（１）  各瓦桟木１３の下部には、半円形状の貫通穴１３Ａが複数あけられて空間部が形成されているので、貫通穴１３Ａ内を空気が流通し通気性がよくなる。また、万一、屋根内に雨水等が浸入しても、これらの貫通穴１３Ａから排水されるので、排水性がよくなる。
【００１８】
（２）  各瓦桟木１３が木製の角材で形成されているが、瓦桟木１３の下部に、半円形状の貫通穴１３Ａが複数あけられて空間部が形成されているので、通気性がよくなり、また雨水の排水等も容易となり、瓦桟木１３の下部に雨水等が溜まることがなく、木材であっても耐久性が得られ、長寿命化を図れる。
（３）  瓦桟木１３の半円形状の貫通穴１３Ａは、瓦桟木１３を２枚、厚さ方向同士を対向させて重ねておいて、互いの合わせ目にドリル加工を施工すれば、２枚の瓦桟木１３の貫通穴１３Ａを同時に行うことができ、空間部を容易に、かつ効率よく形成できる。
【００１９】
図３には、本発明の第２実施形態が示されている。
この実施形態の瓦屋根２０は、瓦桟木２３と野地板１２との間に通気部材である通気ボード２１を設けて形成されており、この通気ボード２１には空間部を構成する複数条の角縦溝２１Ａ，２１Ｂが形成されている。
すなわち、通気ボード２１は樹脂、ゴム、または金属の薄板等で形成されており、屋根の傾斜方向に沿って上記角縦溝２１Ａ，２１Ｂが形成されている。角縦溝２１Ａ，２１Ｂは、交互に向きを変えて形成され、このような通気ボード２１は、瓦屋根２０の傾斜方向に沿って連続して設けられており、釘打ちや接着等で野地板１２に固定されている。なお、瓦桟木２３は、前記瓦桟木１３と同様に木製の角材で形成されているが、樹脂製としてもよい。
【００２０】
ここで、通気ボード２１は、図示しないが、幅方向、つまり角縦溝２１Ａ，２１Ｂと直行する方向に所定寸法に形成されており、野地板１２上に載置する際は、順次隣り合う通気ボード２１同士を重ね合わせて行われている。隣り合う通気部材２１同士を重ねるときは、少なくとも１条の角縦溝２１Ａ，２１Ｂ同士を重ね合わせて幅方向に連続させている。
【００２１】
このような第２実施形態によれば、前記（１）  とほぼ同様の効果の他、次のような効果が得られる。
（４）  予め角縦溝２１Ａ，２１Ｂが形成された通気ボード２１を野地板１２に取り付け、その通気ボード２１の上に瓦桟木２３を取り付けるだけで空間部を形成することができるので、空間部を容易に形成できる。
（５）  所定幅に形成された通気ボード２１を野地板１２上に載置する際は、所定幅に形成された通気ボード２１同士を、それらの少なくとも１条の角縦溝２１Ａ，２１Ｂ同士を重ね合わせて行うので、接続部の角縦溝２１Ａ，２１Ｂ同士に隙間が生ぜず、これにより、雨水等が横方向に流れる横走りを防止できる。
【００２２】
図４には、本発明の第３実施形態が示されている。
この実施形態の瓦屋根３０は、前記瓦桟木２３と野地板１２との間に通気部材である波板３１を設けて形成され、この波板３１の波形状部３１Ａ，３１Ｂで空間部を構成したものである。
すなわち、波板３１は樹脂、または金属の薄板等で形成されており、波板３１は、その波形状部３１Ａ，３１Ｂが屋根３０傾斜方向に沿って連続して設けられており、釘打ちや接着等で野地板１２に固定されている。
【００２３】
ここで、波板３１は、図示しないが、幅方向、つまり波形状部３１Ａ，３１Ｂと直行する方向に所定幅寸法に形成されており、野地板１２上に載置する際は、隣り合う波板３１を順次重ね合わせて行われている。隣り合う波板３１同士を重ねるときは、少なくとも１つの波形状部３１Ａ，３１Ｂ同士を重ね合わせて幅方向に連続させている。
このような第３実施形態によれば、前記（１）  ，（４）  ，（５）  とほぼ同様の効果が得られる。
【００２４】
図５には、本発明の第４実施形態が示されている。
この実施形態の瓦屋根４０は、前記瓦桟木２３と野地板１２との間に通気部材４１を構成する複数個のスペーサ部材４１Ａを設けて形成され、これらのスペーサ部材４１Ａ間の隙間４１Ｂで空間部を構成したものである。
すなわち、スペーサ部材４１Ａは、所定の厚さ寸法の、樹脂、ゴム、木材または金属等で形成されており、瓦桟木２３の下方に、それぞれ受板４２に固定されて、瓦屋根４０の傾斜方向に沿って例えば２個ずつ配置され、２個ずつが屋根４０の横方向に所定間隔で複数列設けられている。なお、スペーサ部材４１Ａの配置は、前記隙間４１Ｂがほぼ均等に形成でき、かつ瓦桟木２３および瓦１６を均等に支持できれば任意である。
【００２５】
このような第４実施形態によれば、前記（１）  とほぼ同様の効果の他、次のような効果が得られる。
（６）  所定の厚さ寸法に形成された複数のスペーサ部材４１Ａを、瓦桟木２３と野地板１２との間に適宜設けるだけで空間部を形成できるので、空間部を容易に形成できるとともに、空間部の広さの調整も容易にできる。
【００２６】
なお、本発明は前記各実施形態に限定されるものではなく、本発明の目的を達成できるものであれば、次のような変形形態でもよいものである。
例えば、前記第１実施形態では瓦桟木１３、第２、第３実施形態では瓦桟木２３を、例えば木製の角材で形成したが、瓦桟木１３，２３の材質は木製でなくてもよく、プラスチック等の合成樹脂製としてもよい。このようにすれば、水や湿気に強いので、排水性や通気性の向上を図れるとともに、耐水性に優れているので、長寿命化を図れる。
【００２７】
また、前記第１実施形態では瓦桟木１３の下部の空間部は、半円形状の貫通穴１３Ａに形成されているが、これに限らず、角穴、半円の長穴等、どのような形状でもよい。要は、万一浸入した雨水等を排水でき、かつ通気性に優れる物であればよい。
さらに、前記第４実施形態では、通気部材４１が複数のスペーサ部材４１Ａで構成され、これらのスペーサ部材４１Ａは、所定厚さの円柱状に形成されているが、これに限らず、例えば四角柱、三角柱等、どのような形状でもよい。
【００２８】
【発明の効果】
以上に説明したように、請求項１の発明によれば、瓦桟木と野地板との間に空間部が設けられており、空間部内を空気が流通するので、通気性が向上し、また、雨水や湿気等が浸入したときでも空間部から排水できて排水性が向上する。
【００２９】
請求項２に記載の発明によれば、瓦桟木に貫通穴をあけるだけで空間部を構成できるとともに、瓦桟木は木材で形成されているので、穴加工が容易であり、また、貫通穴は複数あるので、通気性および排水性を向上させることができる。
【００３０】
請求項３に記載の発明によれば、通気部材に複数条の角縦溝が交互に向きを変えて形成されているので、通気と排水とが別の溝で行われるようになり、通気性および排水性のより一層の向上を図れる。
【００３１】
請求項４に記載の発明によれば、通気部材を幅方向に接続する際、隣り合う通気部材の少なくとも１条の角縦溝同士を重ね合わせて行うので、角縦溝と角縦溝との隙間に雨水等が浸入することがなく、雨水等の横走りを防止できる。
【００３２】
請求項５に記載の発明によれば、通気部材が複数の波形状部を有しており、波形状部は高い部位と低い部位とが交互に形成されているので、通気と排水とが別の波形状部で行われることになり、これにより、通気性および排水性のより一層の向上を図れる。また、通気部材として市販の波板を使用できるので、容易に入手できるとともに、野地板の上に取り付けて、その上に瓦桟木を取り付ければよいので、施工も容易にできる。
【００３３】
請求項６に記載の発明によれば、瓦桟木と野地板との間にスペーサ部材を配置すれば、それらの隙間で空間部を形成できるので、空間部の形成が簡単な構成ででき、また、通気性および排水性の向上を図れる。
【図面の簡単な説明】
【図１】本発明に係る瓦屋根の通気構造を示す軒先近傍の縦断面図である。
【図２】本発明に係る第１実施形態の通気構造を示す斜視図である。
【図３】本発明に係る第２実施形態の通気構造を示す斜視図である。
【図４】本発明に係る第３実施形態の通気構造を示す斜視図である。
【図５】本発明に係る第４実施形態の通気構造を示す斜視図である。
【符号の説明】
１０，２０，３０，４０    瓦屋根
１２    野地板
１３，２３    瓦桟木
１３Ａ  空間部である貫通穴
１６    瓦
２１    通気部材である通気ボード
２１Ａ、２１Ｂ    空間部である角縦溝
３１    通気部材である波板
３１Ａ、３１Ｂ    空間部である波形状部
４１    通気部材
４１Ａ  スペーサ部材
４１Ｂ  空間部である隙間
【図１】
2004190216.tif 000003
【図２】
2004190216.tif 000004
【図３】
2004190216.tif 000005
【図４】
2004190216.tif 000006
【図５】
2004190216.tif 000007